(57)【要約】【課題】携帯機器に貼り付けて使用可能な使い捨てカイロを提供する。【解決手段】使い捨てカイロ１０は、空気の存在下で発熱する発熱性組成物１４が封入された偏平状袋体１２と、偏平状袋体１２の片面上に設けられた第１粘着剤層１６と、第１粘着剤層１６上に設けられた断熱材１８と、断熱材１８上に設けられた第２粘着剤層２０と、を備える。断熱材１８は、偏平状袋体１２よりも外形が大きく形成される。偏平状袋体１２は、第１粘着剤層１６が設けられた面が略平坦となるよう形成される。【選択図】図１
2008099898.tif 000002
【特許請求の範囲】
【請求項１】
空気の存在下で発熱する発熱性組成物が封入された偏平状袋体と、
前記偏平状袋体の片面上に設けられた第１粘着剤層と、
前記第１粘着剤層上に設けられた断熱材と、
前記断熱材上に設けられた第２粘着剤層と、
を備えることを特徴とする使い捨てカイロ。
【請求項２】
前記断熱材は、前記偏平状袋体よりも外形が大きく形成されることを特徴とする請求項１に記載の使い捨てカイロ。
【請求項３】
前記偏平状袋体は、前記第１粘着剤層が設けられた面が略平坦となるよう形成されることを特徴とする請求項１または２に記載の使い捨てカイロ。
【請求項４】
空気の存在下で発熱する発熱性組成物が封入された偏平状袋体と、
前記偏平状袋体の片面上に設けられた断熱材収容部と、
前記断熱材収容部に収容された断熱材と、
前記断熱材収容部上に設けられた粘着剤層と、
を備えることを特徴とする使い捨てカイロ。
【請求項５】
前記断熱材収容部は、開口部を有しており、前記断熱材を取り出し自在に形成されることを特徴とする請求項４に記載の使い捨てカイロ。
【請求項６】
前記断熱材収容部は、前記開口部を覆う蓋部を備えることを特徴とする請求項５に記載の使い捨てカイロ。
【請求項７】
空気の存在下で発熱する発熱性組成物が封入された偏平状袋体と、
前記偏平状袋体を収容する偏平状袋体収容部と、
前記偏平状袋体収容部上に設けられた断熱材収容部と、
前記断熱材収容部に収容された断熱材と、
前記断熱材収容部上に設けられた粘着剤層と、
を備えることを特徴とする使い捨てカイロ。
【請求項８】
前記偏平状袋体収容部は、開口部を有しており、前記偏平状袋体を取り出し自在に形成されることを特徴とする請求項７に記載の使い捨てカイロ。
【請求項９】
前記偏平状袋体収容部は、前記開口部を覆う蓋部を備えることを特徴とする請求項８に記載の使い捨てカイロ。
【発明の詳細な説明】
【技術分野】
【０００１】
本発明は、使い捨てカイロに関する。
【背景技術】
【０００２】
従来、通気性を有する偏平状の袋体に、鉄粉、活性炭、塩類、吸水性樹脂および水を含む発熱組成物を封入した使い捨てカイロが知られている。そして、最近では、衣服等の所望の位置に貼り付けて使用できるように、袋体の片面に粘着剤層が形成された使い捨てカイロが提案されている（例えば、特許文献１参照）。
【特許文献１】特開平７−８００１８号公報
【発明の開示】
【発明が解決しようとする課題】
【０００３】
ところで、携帯電話などの携帯機器は、キーが小さいため、手袋を着けたままで操作することが難しく、素手で操作せざるを得ない場合がある。本発明者は、このような状況を鑑みて携帯機器を操作する手を暖める方法について考察し、携帯機器に貼り付けて使用することのできる使い捨てカイロを開発するに至った。そこで、本発明の目的は、携帯機器に貼り付けて使用可能な使い捨てカイロを提供することにある。
【課題を解決するための手段】
【０００４】
上記課題を解決するために、本発明のある態様の使い捨てカイロは、空気の存在下で発熱する発熱性組成物が封入された偏平状袋体と、偏平状袋体の片面上に設けられた第１粘着剤層と、第１粘着剤層上に設けられた断熱材と、断熱材上に設けられた第２粘着剤層と、を備える。
【０００５】
この態様による使い捨てカイロは、携帯電話機などの携帯機器に、第２粘着剤層を介して貼り付けて用いられる。ユーザは、偏平状袋体の露出面に手を接触させた状態で、携帯機器を把持する。このような状態で携帯機器を把持することにより、ユーザは、携帯機器を把持する手を暖めることができる。また、一般に、携帯機器は、熱の影響により特性が劣化する傾向にあるが、この態様による使い捨てカイロによれば、発熱体である偏平状袋体と携帯機器との間に断熱材が設けられるので、偏平状袋体から携帯機器に熱が伝達され難くなり、携帯機器の特性が劣化するのを防ぐことができる。
【０００６】
断熱材は、偏平状袋体よりも外形が大きく形成されてもよい。このように断熱材を形成することにより、ユーザが携帯機器を把持しやすくなる。
【０００７】
偏平状袋体は、第１粘着剤層が設けられた面が略平坦となるよう形成されてもよい。このように偏平状袋体を形成することにより、好適に偏平状袋体を断熱材に接着することができる。
【０００８】
本発明の別の態様もまた、使い捨てカイロである。この使い捨てカイロは、空気の存在下で発熱する発熱性組成物が封入された偏平状袋体と、偏平状袋体の片面上に設けられた断熱材収容部と、断熱材収容部に収容された断熱材と、断熱材収容部上に設けられた粘着剤層と、を備える。
【０００９】
この態様による使い捨てカイロも、携帯電話機などの携帯機器に粘着剤層を介して貼り付けて用いられる。ユーザは、偏平状袋体の露出面に手を接触させた状態で、携帯機器を把持する。このような状態で携帯機器を把持することにより、ユーザは、携帯機器を把持する手を暖めることができる。また、この態様による使い捨てカイロによれば、発熱体である偏平状袋体と携帯機器との間に断熱材が設けられるので、偏平状袋体から携帯機器に熱が伝達され難くなり、携帯機器の特性が劣化するのを防ぐことができる。
【００１０】
断熱材収容部は、開口部を有しており、断熱材を取り出し自在に形成されてもよい。このように断熱材収容部を形成することにより、使い終わった使い捨てカイロから断熱材を取り出し、別の使い捨てカイロに再利用することができる。
【００１１】
断熱材収容部は、開口部を覆う蓋部を備えてもよい。このように断熱材収容部を形成することにより、好適に断熱材を断熱材収容部内に収容することができる。
【００１２】
本発明の別の態様もまた、使い捨てカイロである。この使い捨てカイロは、空気の存在下で発熱する発熱性組成物が封入された偏平状袋体と、偏平状袋体を収容する偏平状袋体収容部と、偏平状袋体収容部上に設けられた断熱材収容部と、断熱材収容部に収容された断熱材と、断熱材収容部上に設けられた粘着剤層と、を備える。
【００１３】
この態様による使い捨てカイロも、携帯電話機などの携帯機器に粘着剤層を介して貼り付けて用いられる。ユーザは、偏平状袋体収容部の露出面に手を接触させた状態で、携帯機器を把持する。このような状態で携帯機器を把持することにより、ユーザは、携帯機器を把持する手を暖めることができる。また、この態様による使い捨てカイロによれば、発熱体である偏平状袋体と携帯機器との間に断熱材が設けられるので、偏平状袋体から携帯機器に熱が伝達され難くなり、携帯機器の特性が劣化するのを防ぐことができる。
【００１４】
偏平状袋体収容部は、開口部を有しており、前記偏平状袋体を取り出し自在に形成されてもよい。このように偏平状袋体収容部を形成することにより、偏平状袋体の発熱作用が終わった場合であっても、その偏平状袋体を偏平状袋体収容部から取り出して別の偏平状袋体を入れ、使い捨てカイロを再利用することができる。
【００１５】
偏平状袋体収容部は、開口部を覆う蓋部を備えてもよい。このように偏平状袋体収容部を形成することにより、好適に偏平状袋体を偏平状袋体収容部内に収容することができる。
【発明の効果】
【００１６】
本発明によれば、携帯機器に貼り付けて使用可能な使い捨てカイロを提供できる。
【発明を実施するための最良の形態】
【００１７】
（第１の実施の形態）
図１は、本発明の第１の実施の形態に係る使い捨てカイロ１０の断面図である。図１に示すように、使い捨てカイロ１０は、偏平状袋体１２と、発熱性組成物１４と、第１粘着剤層１６と、断熱材１８と、第２粘着剤層２０と、を備える。
【００１８】
偏平状袋体１２は、偏平形状の袋体であり、袋体の内部と外部とで通気性を有する。偏平状袋体１２の材料は、特に限定されず、従来の使い捨てカイロにおいて用いられている材料を用いることができる。たとえば、偏平状袋体１２の材料として、微細連続気孔を有するシートを用いることができる。偏平状袋体１２の外形寸法は、使い捨てカイロ１０を貼り付ける携帯機器の大きさに合わせて、任意に設定することができる。
【００１９】
偏平状袋体１２の内部には、空気の存在下で発熱する発熱性組成物１４が封入される。発熱性組成物１４は、鉄粉、活性炭、塩類、吸水性樹脂および水を含む。発熱性組成物１４が封入された偏平状袋体１２は、従来の使い捨てカイロと同様に、空気中において振るなどして鉄粉、活性炭、塩類、吸水性樹脂および水を互いによく混合することにより、安定した温度特性を得ることができる。
【００２０】
偏平状袋体１２の片面１２ａ上には、第１粘着剤層１６が設けられる。第１粘着剤層１６を介して、偏平状袋体１２と断熱材１８が接着される。図１に示すように、偏平状袋体１２は、第１粘着剤層１６が設けられた片面１２ａが略平坦となるよう形成されることが好ましい。このように片面１２ａを略平坦となるよう形成することにより、断熱材１８と接着される面が広くなるので、接着力が強くなり、好適に偏平状袋体を断熱材に接着することができる。
【００２１】
断熱材１８は、板状に形成された断熱材であり、材料としては、たとえばロックウールを例示することができる。ロックウールは、ケイ酸分と酸化カルシウムを主成分とする高炉スラグや玄武岩、その他の天然岩石などを主原料として、これらをキュポラや電気炉で溶かし遠心力などで吹き飛ばして繊維状にした人造鉱物繊維である。ロックウールは、微細な繊維の隙間に大量の空気を含むため、優れた断熱効果を有する。
【００２２】
ロックウールを材料として使用した場合、断熱材１８の厚みは、２ｍｍ乃至３ｍｍとすることが好ましい。２ｍｍ以上とすることにより、偏平状袋体１２からの熱を好適に断熱することができる。また、３ｍｍ以下とすることにより、使い捨てカイロ１０全体としての厚みが抑えられ、携帯機器を把持しやすくなる。
【００２３】
また、断熱材１８は、偏平状袋体１２よりも外形が大きく形成されることが好ましい。たとえば、断熱材１８は、偏平状袋体１２よりも外形が１ｍｍ〜２ｍｍ程度外形が大きくなるように形成される。発熱性組成物１４が封入された偏平状袋体１２は、剛体ではないため、軟らかく、形状が変形しやすい。断熱材１８の外形が偏平状袋体１２の外形よりも小さい場合には、偏平状袋体１２と断熱材１８とが接着してない部位において偏平状袋体１２の形状が定まらず、使い捨てカイロ１０を携帯機器に貼り付けた際に把持し難くなる。そこで、断熱材１８を偏平状袋体１２よりも外形を大きく形成して、偏平状袋体１２の片面１２ａ全体を断熱材１８に貼り付けることができるよう構成する。これにより、偏平状袋体１２の形状が固定されるようになるので、携帯機器を把持しやすくなる。
【００２４】
断熱材１８上には、第２粘着剤層２０が設けられる。第２粘着剤層２０を介して、使い捨てカイロ１０は、携帯機器に貼り付けられる。第２粘着剤層２０の上部には、第２粘着剤層２０を覆うための剥離紙（図示せず）が設けられてもよい。
【００２５】
図２は、使い捨てカイロ１０を携帯機器１００に貼り付けた様子を示す図である。携帯機器１００は、携帯電話機であってもよいし、ＰＤＡ（Ｐｅｒｓｏｎａｌ  Ｄｉｇｉｔａｌ  Ａｓｓｉｓｔａｎｔ）であってもよい。図２に示すように、使い捨てカイロ１０は、第２粘着剤層２０を介して、携帯機器１００の筐体に貼り付けられる。ユーザは、偏平状袋体１２の露出面に手を接触させた状態で、携帯機器１００を把持することにより、携帯機器１００を把持する手を暖めることができる。
【００２６】
一般に、携帯機器１００は、熱の影響により特性が劣化する傾向にあるが、この第１の実施の形態に係る使い捨てカイロ１０によれば、発熱体である偏平状袋体１２と携帯機器１００との間に断熱材１８が設けられるので、偏平状袋体１２から携帯機器１００に熱が伝達され難くなり、携帯機器１００の特性が劣化するのを防ぐことができる。
【００２７】
時間の経過により偏平状袋体１２の発熱作用が終了した場合、偏平状袋体１２と第１粘着剤層１６を断熱材１８から剥がし、別の第１粘着剤層１６が設けられた偏平状袋体１２を断熱材１８に貼り付けてもよい。これにより、断熱材１８を再度利用することができるため、経済的である。断熱材１８の第１粘着剤層１６側の面１８ａは、偏平状袋体１２と第１粘着剤層１６を剥がしやすいように、コーティングが施されてもよい。
【００２８】
（第２の実施の形態）
図３は、本発明の第２の実施の形態に係る使い捨てカイロ３０の断面図である。図３に示すように、使い捨てカイロ３０は、偏平状袋体１２と、発熱性組成物１４と、第１粘着剤層１６と、断熱材収容部３２と、断熱材１８と、第２粘着剤層２０と、を備える。使い捨てカイロ３０の説明においては、第１の実施の形態に係る使い捨てカイロ１０と同一の構成要素については、同一の符号を用い、適宜説明を省略する。
【００２９】
使い捨てカイロ３０においては、発熱性組成物１４が封入された偏平状袋体１２の片面１２ａ上に、第１粘着剤層１６を介して断熱材収容部３２が設けられる。図３に示すように、断熱材収容部３２は、偏平状に形成された袋体である。断熱材収容部３２を形成する材料としては、特に限定されず、たとえば、偏平状袋体１２を形成した材料と同一の材料であってよい。
【００３０】
断熱材収容部３２は、その内部に、断熱材１８が収容可能なように空間を有している。この空間の厚みは、断熱材１８を好適に収容できるように、断熱材１８の厚みと略同一か、断熱材１８の厚みよりも若干大きく形成されることが好ましい。また、断熱材収容部３２を伸縮性を有する材料で形成した場合には、断熱材収容部３２内の空間の厚みは、断熱材１８の厚みよりも小さくてもよい。
【００３１】
断熱材収容部３２の内部には、板状の断熱材１８が収容される。断熱材１８は、上述したロックウールを材料として形成されてよい。断熱材１８の厚みは、２ｍｍ乃至３ｍｍとすることが好ましい。２ｍｍ以上とすることにより、偏平状袋体１２からの熱を好適に断熱することができる。また、３ｍｍ以下とすることにより、使い捨てカイロ３０全体としての厚みが抑えられ、携帯機器を把持しやすくなる。
【００３２】
断熱材収容部３２上には、第２粘着剤層２０が設けられる。第２粘着剤層２０を介して、使い捨てカイロ３０は、携帯機器に貼り付けられる。
【００３３】
図３に示すように、断熱材収容部３２は、開口部３４を有しており、断熱材１８を取り出し自在に形成される。開口部３４は、断熱材収容部３２の第２粘着剤層２０側の面３２ａに形成される。開口部３４は、面３２ａの一部を切り取ることにより形成される。さらに、断熱材収容部３２は、図３に示すように、開口部３４を覆う蓋部３６を有する。図３では、蓋部３６が開けられた状態を示している。蓋部３６は、略長方形状に形成され、その一辺が断熱材収容部３２の一端部に固定される。蓋部３６を形成することにより、断熱材１８が露出することなく、断熱材１８を断熱材収容部３２内に収容することができる。
【００３４】
図４は、蓋部３６の周囲を拡大した図である。図４では、蓋部３６が閉じられた状態を示している。図４に示すように、蓋部３６は、閉じられたときに、その先端部３６ａが断熱材収容部３２の第２粘着剤層２０側の面３２ａと重なる重なり部３８を有するように形成される。たとえば、断熱材１８をロックウールで形成した場合には、断熱材１８を複数回出し入れする間に、ロックウールの表面が削れ、ロックウールの粉末が断熱材収容部３２内に蓄積される場合がある。この粉末が携帯機器使用時に断熱材収容部３２の外部に出ると、ユーザの手を汚したり、携帯機器の内部に入り込んだりするため好ましくない。図４に示すような重なり部３８を形成することにより、ロックウールの粉末が断熱材収容部３２の外部に出るのを防止することができる。
【００３５】
蓋部３６は、面３２ａ方向に付勢されるように形成されてもよい。たとえば、蓋部３６を弾力性のある樹脂材料で形成することにより、蓋部３６を面３２ａ方向に付勢されるように形成することができる。このように形成することにより、ロックウールの粉末が断熱材収容部３２の外部に出るのをさらに好適に防止することができる。
【００３６】
上述したように、使い捨てカイロ３０は、第２粘着剤層２０を介して携帯機器に貼り付けられる。ユーザは、偏平状袋体１２の露出面に手を接触させた状態で、携帯機器を把持することにより、携帯機器を把持する手を暖めることができる。また、使い捨てカイロ３０では、発熱体である偏平状袋体１２と携帯機器との間に断熱材１８が設けられるので、偏平状袋体１２から携帯機器に熱が伝達され難くなり、携帯機器の特性が劣化するのを防ぐことができる。
【００３７】
さらに、使い捨てカイロ３０では、断熱材収容部３２に開口部３４を設け、断熱材１８を取り出し自在に形成したことにより、断熱材収容部３２から断熱材１８を取り出して別の使い捨てカイロ３０に再利用することができ、経済的である。
【００３８】
（第３の実施の形態）
図５は、本発明の第３の実施の形態に係る使い捨てカイロ４０の断面図である。図３に示すように、使い捨てカイロ４０は、偏平状袋体１２と、発熱性組成物１４と、偏平状袋体収容部４２と、断熱材収容部３２と、断熱材１８と、第２粘着剤層２０と、を備える。使い捨てカイロ３０の説明においては、第１の実施の形態に係る使い捨てカイロ１０および第２の実施の形態に係る使い捨てカイロ３０と同一の構成要素については、同一の符号を用い、適宜説明を省略する。
【００３９】
第３の実施の形態に係る使い捨てカイロ４０は、発熱性組成物１４が封入された偏平状袋体１２を収容する偏平状袋体収容部４２を備える。図５に示すように、偏平状袋体収容部４２は、偏平状に形成された袋体である。偏平状袋体収容部４２を形成する材料としては、特に限定されず、たとえば、偏平状袋体１２を形成した材料と同一の材料であってよい。
【００４０】
偏平状袋体収容部４２は、その内部に、偏平状袋体１２が収容可能なように空間を有している。この空間の厚みは、偏平状袋体１２を好適に収容できるように、偏平状袋体１２の厚みと略同一か、偏平状袋体１２の厚みよりも若干大きく形成されることが好ましい。また、偏平状袋体収容部４２を伸縮性を有する材料で形成した場合には、偏平状袋体収容部４２内の空間の厚みは、偏平状袋体１２の厚みよりも小さくてもよい。
【００４１】
図５に示すように、偏平状袋体収容部４２は、開口部４４を有しており、偏平状袋体１２を取り出し自在に形成される。開口部４４は、偏平状袋体収容部４２の側面に形成される。
【００４２】
さらに、偏平状袋体収容部４２は、図５に示すように、開口部４４を覆う蓋部４６を有する。図５では、蓋部４６が開けられた状態を示している。蓋部４６は、第１蓋部４６ａと第２蓋部４６ｂとを有する。第１蓋部４６ａは、略長方形状に形成され、偏平状袋体収容部４２の断熱材１８側の面の一端部に固定される。第２蓋部４６ｂは、略長方形状に形成され、偏平状袋体収容部４２の手に接触する側の面の一端部に固定される。第２蓋部４６ｂが矢印Ｂの方向に折り曲げられ、第１蓋部４６ａが矢印Ａの方向に折り曲げられて、第１蓋部４６ａと第２蓋部４６ｂとが重なった状態のとき、蓋部４６は、閉じられた状態となる。蓋部４６を形成することにより、偏平状袋体１２が露出することなく、偏平状袋体１２を偏平状袋体収容部４２内に収容することができる。さらに、第１蓋部４６ａと第２蓋部４６ｂが重なるように蓋部４６を形成したことにより、偏平状袋体１２が意図せず偏平状袋体収容部４２から露出し難くすることができる。
【００４３】
第１蓋部４６ａは、矢印Ａ方向に付勢されるように形成されてもよく、また、第２蓋部４６ｂは、矢印Ｂ方向に付勢されるように形成されてもよい。たとえば、第１蓋部４６ａ、第２蓋部４６ｂを弾力性のある樹脂材料で形成することにより、第１蓋部４６ａを矢印Ａ方向に、第２蓋部４６ｂを矢印Ｂ方向に付勢されるように形成することができる。このように形成することにより、偏平状袋体１２が意図せず偏平状袋体収容部４２から露出するのをさらに好適に防ぐことができる。
【００４４】
偏平状袋体収容部４２上には、断熱材収容部３２が設けられる。断熱材収容部３２は、偏平状に形成された袋体である。偏平状袋体収容部４２と断熱材収容部３２は、図５に示すように、一体的に形成されてもよいし、別々の袋体を、図示しない第１粘着剤層により貼り合わせて形成されてもよい。偏平状袋体収容部４２と断熱材収容部３２を別々に形成する場合は、異なる材料で形成されてもよい。断熱材収容部３２の内部には、板状の断熱材１８が収容される。断熱材１８は、上述したロックウールを材料として形成されてよい。断熱材１８の厚みは、２ｍｍ乃至３ｍｍとすることが好ましい。２ｍｍ以上とすることにより、偏平状袋体１２からの熱を好適に断熱することができる。また、３ｍｍ以下とすることにより、使い捨てカイロ４０全体としての厚みが抑えられ、携帯機器を把持しやすくなる。
【００４５】
断熱材収容部３２上には、第２粘着剤層２０が設けられる。第２粘着剤層２０を介して、使い捨てカイロ４０は、携帯機器に貼り付けられる。ユーザは、偏平状袋体収容部４２の露出面に手を接触させた状態で、携帯機器を把持することにより、携帯機器を把持する手を暖めることができる。また、使い捨てカイロ４０では、発熱体である偏平状袋体１２と携帯機器との間に断熱材１８が設けられるので、偏平状袋体１２から携帯機器に熱が伝達され難くなり、携帯機器の特性が劣化するのを防ぐことができる。
【００４６】
さらに、使い捨てカイロ４０では、偏平状袋体収容部４２に開口部４４を設け、偏平状袋体１２を取り出し自在に形成したことにより、偏平状袋体１２の発熱作用が終わった場合であっても、その偏平状袋体１２を偏平状袋体収容部４２から取り出して別の偏平状袋体１２を入れ、使い捨てカイロ４０を再利用することができ、経済的である。
【００４７】
以上、本発明を実施の形態をもとに説明した。この実施の形態は例示であり、その各構成要素の組合せにいろいろな変形例が可能である。また、そうした変形例も本発明の範囲にあることは当業者に理解されるところである。
【図面の簡単な説明】
【００４８】
【図１】本発明の第１の実施の形態に係る使い捨てカイロの断面図である。
【図２】使い捨てカイロを携帯機器に貼り付けた様子を示す図である。
【図３】本発明の第２の実施の形態に係る使い捨てカイロの断面図である。
【図４】蓋部の周囲を拡大した図である。
【図５】本発明の第３の実施の形態に係る使い捨てカイロの断面図である。
【符号の説明】
【００４９】
１０、３０、４０  使い捨てカイロ、  １２  偏平状袋体、  １４  発熱性組成物、  １６  第１粘着剤層、  １８  断熱材、  ２０  第２粘着剤層、  ３２  断熱材収容部、  ３４、４４  開口部、  ３６、４６  蓋部、  ４２  偏平状袋体収容部、  １００  携帯機器。
【図１】
2008099898.tif 000003
【図２】
2008099898.tif 000004
【図３】
2008099898.tif 000005
【図４】
2008099898.tif 000006
【図５】
2008099898.tif 000007